(57)【要約】【目的】腰に負担を掛けないで運動ができる座椅子の提供。【構成】背当ての傾動に連動して座面が昇降する機構により、背当ての後方への垂直からの倒れ角度が４５°までの間、座面の迎角をほぼ５°に保ち、座面に加わる体重を付勢装置の反発力に付加して付勢装置の負荷を減らし、背当てを後方へ水平状態まで倒した時、座面も水平状態になって一時的なベッドになるようにし、背当てを垂直からの角度が４５°以上倒れないようにストッパーを利かせるとともに、付勢装置の伸縮の固定を解除することによって、腰に負担を掛けずに背筋、腹筋、大腿四頭筋などの運動ができる多目的座椅子。【選択図】　　　　図１
2004081765.tif 000002
【特許請求の範囲】
【請求項１】
ベースフレームに保持されて背当てを傾動できる座椅子において、座面フレームに対する背当てフレームの回転軸に揺動部材を枢着し、この揺動部材の下端部と座面フレームまたはベースフレームとの間に、伸縮行程の任意の位置に固定でき、且つ固定を解除できる付勢装置を取り付け、背当てフレームの下端部を該揺動部材で支えるようにし、この付勢装置の最長状態の時に背当てがほぼ垂直に立つようにし、また付勢装置の最短状態の時に背当てがほぼ水平に後方に倒れるようにし、且つ、背当てを任意の角度から前方に折り畳むことができるように構成された座椅子。
【請求項２】
座面フレームに対する背当てフレームの回転軸に枢着された揺動部材の、該回転軸の後方に設けた支持軸を、ベースフレームに設けた支持ブラケットに枢着し、座面フレームの前部をベースフレームとの間に設けた斜め方向のリンクまたは案内機構で支持し、背当ての傾動に伴なう該揺動部材の回転と連動して座面フレームを昇降させるように構成された、請求項１記載の座椅子。
【請求項３】
ベースフレームと背当ての下部との間にストッパーを設け、背当てが後方へ垂直から約４５°以上倒れないようにし、該ストッパーを移動または反転させて背当てをほぼ水平状態まで後方に倒れるようにすることができるように構成された、請求項１記載の座椅子。
【発明の詳細な説明】
【０００１】
【産業上の利用分野】
この発明は、高齢者や病弱者を含む一般人のための座椅子および座椅子状の運動機器に関する。
【０００２】
【従来の技術】
従来の座椅子は、単に背当ての段階的リクライニングならびに折り畳みができるだけで、背筋、腹筋、大腿四頭筋などの運動による身体の機能回復や、筋力訓練およびシェープアップに役立つものではなく、また座椅子を利用した運動機器はこれまで例がなかった。
【０００３】
【発明が解決しようとする課題】
従来の座椅子ではできなかった、身体の機能回復や、筋力訓練およびシェープアップ効果を持たせることができ、併せて背当てをフルリクライニングまでの任意の角度に固定し、且つ折り畳みが可能な座椅子を提供することを課題とする。
【０００４】
背筋、腹筋、大腿四頭筋などの運動の際には、大腿部と体幹との間の角度が約１３０°の時に最も腰に負担が掛からないことが知られている。従って座面の迎角を５°とした時、運動時の背当ての最大傾斜角度が垂直から約４５°後方へ倒した状態となるように、ストッパーを設ける必要がある。
【０００５】
また、一般用の座椅子としては、背当てを後方へほぼ水平までの任意の角度で固定できる必要があり、また収納のためには、どの角度からも背当てを前方に倒して折り畳むことが求められる。
【０００６】
【課題を解決するための手段】
ベースフレームに保持されて背当てを傾動できる座椅子において、座面フレームに対する背当てフレームの回転軸に揺動部材を枢着し、この揺動部材の下端部と座面フレームまたはベースフレームとの間に、伸縮行程の任意の位置に固定でき、且つ固定を解除できる付勢装置を取り付け、背当てフレームの下端部を該揺動部材で支えるようにし、この付勢装置の最長状態の時に背当てがほぼ垂直に立つようにし、また付勢装置の最短状態の時に背当てがほぼ水平に後方に倒れるようにし、且つ、背当てを任意の角度から前方に折り畳むことができるように構成する。
【０００７】
座面フレームに対する背当てフレームの回転軸に枢着された揺動部材の、該回転軸の後方に設けた支持軸を、ベースフレームに設けた支持ブラケットに枢着し、座面フレームの前部をベースフレームとの間に設けた斜め方向のリンクまたは案内機構で支持し、背当ての傾動に伴なう該揺動部材の回転と連動して座面フレームを昇降させるように構成する。
【０００８】
この揺動部材の回転軸と、座面フレームの前部とベースフレームとの間に設けた斜め方向のリンクまたは案内機構を適切に設定することによって、背当ての角度が垂直から後方約４５°までの間は、座面の迎角をほぼ５°に保ち、傾動中の人体の姿勢を安定させることができる。またさらに、体重の加わった状態での座面フレームの昇降により、付勢装置の反発力を補助する効果がある。
【０００９】
ベースフレームと背当ての下部との間にストッパーを設け、背当てが後方へ垂直から約４５°以上倒れないようにし、該ストッパーを移動または反転させて背当てをほぼ水平状態まで後方に倒れるようにすることができるように構成する。
付勢装置の固定を解除した状態で、このストッパーを設けた時、背筋、腹筋、大腿四頭筋などの運動の際には、座面と背当ての角度が最大約１３０°となって、運動時の腰への負担が少なくなり、従来の座椅子ではできなかった身体の機能回復や、筋力訓練およびシェープアップ効果を持たせることができる。
【００１０】
【実施例】
以下、本発明の具体的な実施例について、図面に沿って詳述する。
図１は、本発明の座椅子の、背当てを最も立てた状態を示す側面図である。
図２は、背当てを後方へ約４５°倒した状態を示す側面図である。
図３は、背当てを後方へほぼ水平まで倒した状態を示す側面図である。
図４は、背当てを前方へ倒した状態を示す側面図である。
【００１１】
床面１によって支えられるベースフレーム２の後部には、支持ブラケット３が設けられ、この上部に揺動部材４を枢着する支持軸５が設けられる。揺動部材４の一端には、背当てフレーム６のブラケット７および、座面フレーム８のブラケット９を枢着する支持軸１０が設けられ、揺動部材４の他端には、付勢装置１１の後端部１２が取り付けられる。付勢装置１１の前端部１３は、座面フレーム８に設けられた支持軸１４が取り付けられる。
【００１２】
付勢装置１１の前端部１３にはまた、操作レバー１５が設けられ、カム１６によって伸縮行程の任意の位置に固定または解除することができる。揺動部材４には、クロスメンバー１７が設けられ、背当てフレーム６の下端部１８を支持する。ベースフレーム２の後部にはまた、背当てフレーム６が後方へ４５°以上倒れないように、可倒式のストッパー１９が設けられ、背当てフレーム６の下部を支持するようになっており、ストパーが必要ない時には、折り畳むことによって背当てを後方へ水平状態まで倒すことができる。
【００１３】
ベースフレーム２の前部に設けられた支持軸２０と、座面フレームの前部に設けられた支持軸２１には、支持リンク２２が取り付けられ、背当ての傾動によって揺動部材４の揺動と連動して座面を昇降させる。
【００１４】
このように構成することによって、操作レバー１５を回転させて付勢装置１１の伸縮の固定を解除すると、付勢装置１１の反発力によって、背当てが垂直付近まで立つことになるために、可倒式のストッパー１９によって背当てを後方へ４５°以上倒れないようにすると、座面の迎角をほぼ５°に保ちながら大腿部と体幹との間の角度が約１３０°の範囲で、座面に加わる体重と、付勢装置１１の反発力を併せて利用して屈伸運動を行うことができる。
【００１５】
可倒式のストッパー１９を解除し、背当てを水平状態までの任意の角度で、操作レバー１５を回転させて付勢装置１１の伸縮を固定することによって、通常の座椅子として使用することができ、また背当てを任意の角度から前方に折り畳むことができる。なお、背当てを後方へ水平状態まで倒した時には、座面の迎角もほぼ０°となり、簡易なベッドとしても使用できる。
【００１６】
【発明の効果】
本発明の座椅子は、背当ての角度を無段階で調節することができる、通常の座椅子として使用することができるばかりでなく、ストッパーを利かせることによって、背当ての傾動の範囲を、座面と背当ての角度がほぼ９０°から１３０°の範囲に限定した屈伸運動を行うことができ、腰に負担を掛けずに、背筋、腹筋、大腿四頭筋などの筋力の回復、機能訓練、シェイプアップに役立つ効果がある。
【００１７】
背当てを後方へ水平状態まで倒した時には、座面の迎角もほぼ０°となって、連続した水平面を構成することになり、簡易なベッドとしても使用できる。また背当てを任意の角度から前方に折り畳むことによって間単に収納できる効果がある。
【００１８】
背当てを傾動させて屈伸運動を行う時、連動して座面を昇降させるため、付勢装置の反発力に座面に加わる体重が加わって背当ての復元力が増すため、付勢装置に掛かる負荷を減らして小型化することができるとともに、付勢装置の揺動スペースも確保しやすい構成とすることができる効果がある。
【図面の簡単な説明】
【図１】背当てを最も立てた状態を示す側面図である。
【図２】背当てを後方へ約４５°倒した状態を示す側面図である。
【図３】背当てを後方へほぼ水平まで倒した状態を示す側面図である。
【図４】背当てを前方へ倒した状態を示す側面図である。
【符号の説明】
（１）　　床面
（２）　　ベースフレーム
（３）　　ベースフレームの後部の支持ブラケット
（４）　　揺動部材
（５）　　揺動部材を枢着する支持軸
（６）　　背当てフレーム
（７）　　背当てフレームのブラケット
（８）　　座面フレーム
（９）　　座面フレームのブラケット
（１０）　揺動部材の支持軸
（１１）　付勢装置
（１２）　付勢装置の後端部
（１３）　付勢装置の前端部
（１４）　座面フレームの支持軸
（１５）　操作レバー
（１６）　操作レバーのカム
（１７）　クロスメンバー
（１８）　背当てフレームの下端部
（１９）　可倒式のストッパー
（２０）　ベースフレームの前部の支持軸
（２１）　座面フレーム前部の支持軸
（２２）　支持リンク
【図１】
2004081765.tif 000003
【図２】
2004081765.tif 000004
【図３】
2004081765.tif 000005
【図４】
2004081765.tif 000006